(57)【要約】      （修正有）【課題】生産性の高い印刷処理を実現可能な液体吐出装置等を提供する。【解決手段】液体吐出装置は、印刷データ作成部、印刷制御部を具備する。印刷データ作成部は、液体を吐出する吐出部の基準吐出量と印刷対象領域の印刷に必要とされる各位置における液体吐出量とを用いて、基準吐出量又は必要な液体吐出量を用いる第一の印刷処理を実行するための第一の印刷データと、吐出部による液体の吐出をスキップするスキップ処理を含む第二の印刷処理を実行するための第二の印刷データと、を作成する。印刷制御部は、第一の印刷データと第二の印刷データとを用いて吐出部を制御し、印刷対象領域について第一の印刷処理と前記第二の印刷処理とを実行する。【選択図】図７
2020147037.tif 000002
【特許請求の範囲】
【請求項１】
液体を吐出する吐出部の基準吐出量と印刷対象領域の印刷に必要とされる各位置における液体吐出量とを用いて、前記基準吐出量又は前記必要な液体吐出量を用いる第一の印刷処理を実行するための第一の印刷データと、前記吐出部による液体の吐出をスキップするスキップ処理を含む第二の印刷処理を実行するための第二の印刷データと、を作成する印刷データ作成部と、
前記第一の印刷データと前記第二の印刷データとを用いて前記吐出部を制御し、前記印刷対象領域について前記第一の印刷処理と前記第二の印刷処理とを実行する制御部と、
を具備する液体吐出装置。
【請求項２】
前記制御部は、前記第一の印刷処理を実行した後に前記第二の印刷処理を実行する請求項１に記載の液体吐出装置。
【請求項３】
前記制御部は、前記第二の印刷処理を実行した後に前記第一の印刷処理を実行する請求項１に記載の液体吐出装置。
【請求項４】
前記制御部は、描画オブジェクト毎に、前記第一の印刷データおよび前記第二の印刷データを作成するかを判断する、
請求項１ないし３の何れか一項に記載の液体吐出装置。
【請求項５】
液体を吐出する吐出部の基準吐出量と印刷対象領域の印刷に必要とされる各位置における液体吐出量とを用いて、前記基準吐出量又は前記必要な液体吐出量を用いる第一の印刷処理を実行するための第一の印刷データと、前記吐出部による液体の吐出をスキップするスキップ処理を含む第二の印刷処理を実行するための第二の印刷データと、を作成する印刷データ作成ステップと、
前記第一の印刷データと前記第二の印刷データとを用いて前記吐出部を制御し、前記印刷対象領域について前記第一の印刷処理と前記第二の印刷処理とを実行する印刷制御ステップと、
を具備する液体吐出装置制御方法。
【請求項６】
コンピュータに、
液体を吐出する吐出部の基準吐出量と印刷対象領域の印刷に必要とされる各位置における液体吐出量とを用いて、前記基準吐出量又は前記必要な液体吐出量を用いる第一の印刷処理を実行するための第一の印刷データと、前記吐出部による液体の吐出をスキップするスキップ処理を含む第二の印刷処理を実行するための第二の印刷データと、を作成する印刷データ作成ステップと、
前記第一の印刷データと前記第二の印刷データとを用いて前記吐出部を制御し、前記印刷対象領域について前記第一の印刷処理と前記第二の印刷処理とを実行する印刷制御ステップと、
を実行させるための液体吐出装置制御プログラム。
【発明の詳細な説明】
【技術分野】
【０００１】
本発明は、液体吐出装置、液体吐出装置制御方法及び液体吐出装置制御プログラムに関する。
【背景技術】
【０００２】
液体吐出装置（例えばインクジェットプリンタ）を用いてＴシャツなどの布地に印刷する場合、布地は、紙と比較して液体を吸収する素材であるため、多くのインクを吸着することができる。また、布地印刷については、布地に付着させるインク量を多くした方が、発色性、洗濯堅牢性（洗濯による色落ちへの耐性）の点で優位であることが知られている。従来の一般的な液体吐出装置は、多くのインク量を付着させる場合、同一の印刷データを用いて、各位置につきインク量を一定とした同一印刷処理を繰り返し実行している。
【０００３】
また、特許文献１には、画像データにおいてインクの重なりが少なくとも１以上ある場合には、画像データの印字開始を所定時間遅延させ、インクの滲みやカラー印刷における色の混合による色彩の滲みを防止し、解像度又は色再現性を向上させることができるインクジェットプリンタが開示されている。
【発明の概要】
【発明が解決しようとする課題】
【０００４】
しかしながら、上述した従来の一般的な液体吐出装置、及び特許文献１に開示されたインクジェットプリンタは、生産性の点で改善の余地がある。
【０００５】
本発明は、上記事情に鑑みてなされたものであり、従来に比して生産性の高い印刷処理を実現可能な液体吐出装置、液体吐出装置制御方法及び液体吐出装置制御プログラムを提供することを目的とする。
【課題を解決するための手段】
【０００６】
上述した課題を解決し、目的を達成するために、本発明は、液体を吐出する吐出部の基準吐出量と印刷対象領域の印刷に必要とされる各位置における液体吐出量とを用いて、前記基準吐出量又は前記必要な液体吐出量を用いる第一の印刷処理を実行するための第一の印刷データと、前記吐出部による液体の吐出をスキップするスキップ処理を含む第二の印刷処理を実行するための第二の印刷データと、を作成する印刷データ作成部と、前記第一の印刷データと前記第二の印刷データとを用いて前記吐出部を制御し、前記印刷対象領域について前記第一の印刷処理と前記第二の印刷処理とを実行する印刷制御部と、を具備する液体吐出装置である。
【発明の効果】
【０００７】
本発明によれば、従来に比して生産性の高い印刷処理を実行できる液体吐出装置、液体吐出装置制御方法及び液体吐出装置制御プログラムを実現することができる。
【図面の簡単な説明】
【０００８】
【図１】図１は、液体吐出装置１の外観を示した斜視図である。
【図２】図２は、液体吐出装置１の全体構成を説明するための斜視図である。
【図３】図３は、液体吐出装置１の印刷動作を説明するための上面図である。
【図４】図４は、液体吐出装置１の印刷動作を説明するための右側面である。
【図５】図５は、液体吐出装置１のハードウェア構成及び機能を説明するためのブロック図である。
【図６】図６は、本実施形態に係る液体吐出装置１に関する機能ブロック図である。
【図７】図７は、液体吐出装置１が印刷対象領域について複数回に亘り印刷処理を実行する場合において、各印刷処理に対応する印刷データを作成する処理を説明するためのフローチャートである。
【図８】図８は、布媒体に対して印刷処理を実行することで得られる最終印刷結果を示した図である。
【図９】図９（ａ）は、本発明の実施形態に係る液体吐出装置１を用いて得られる一回目の印刷処理の印刷結果を示した図である。図９（ｂ）は、本発明の実施形態に係る液体吐出装置１を用いて得られる二回目の印刷処理の印刷結果を示した図である。
【図１０】図１０（ａ）は、従来の液体吐出装置を用いて得られる一回目の印刷処理の結果を示した図である。図１０（ｂ）は、従来の液体吐出装置を用いて得られる二回目の印刷処理の結果を示した図である。
【図１１】図１１は、グラデーションの有無の判断例を示す図である。
【図１２】図１２は、印刷データの作成処理の流れの変形例を示す図である。
【発明を実施するための形態】
【０００９】
以下、添付図面を参照しながら、本発明の実施形態に係る液体吐出装置について説明する。図１は液体吐出装置１の外観を示した斜視図、図２は液体吐出装置１の全体構成を説明するための斜視図である。図３は液体吐出装置１の印刷動作を説明するための上面図である。図４は液体吐出装置１の印刷動作を説明するための右側面図である。
【００１０】
液体吐出装置１は、液体を吐出し紙や布地等に印刷する装置である。液体吐出装置１は、印刷装置、画像形成装置、立体造形装置、処理液塗布装置、噴射造粒装置、捺染プリンタ、インクジェットプリンタとも呼ばれる。
【００１１】
なお、本実施形態においては、液体吐出装置１を用いて布媒体に印刷する場合を例として説明する。布媒体としては、ハンカチ、タオルなどの一枚の布地で形成されるものだけではなく、Ｔシャツ、トレーナーなどの衣服として加工された布地、トートバック等の製
品の一部となっている布地にも用いることができる。
【００１２】
液体吐出装置１は、装置本体１００、カセット２００、プラテン部材２５０から構成されている。装置本体１００は、底部筐体部１１０、搬送ガイド部材１１１、搬送構造体１１２、ステージ１１３、キャリッジ１２１、液体吐出ユニット１２２、キャリッジレール１２３、駆動モータ１２４を具備している。
【００１３】
底部筐体部１１０は、装置本体１００の底部に位置し上面に開口部を有する立方体形状の筐体である。底部筐体部１１０の長手方向（図面矢印Ａ方向。送り方向又は副走査方向と同じ）に沿って、搬送ガイド部材１１１が設けられている。搬送構造体１１２は、搬送ガイド部材１１１に沿って移動可能に設けられている。ステージ１１３は、搬送構造体１１２上に設けられた、カセット２００の受け部材である。搬送構造体１１２が、カセット２００を着脱可能に保持するステージ１１３と共にＡ方向に沿って進退移動することで、カセット２００のプラテン部材２５上に設けられた布媒体をＡ方向に沿って移動させる。
【００１４】
キャリッジ１２１は、矢印Ｂ方向（主走査方向）に沿って配置されたキャリッジレール１２３に沿って移動可能に保持され、駆動モータ１２４によってタイミングベルトなどの走査機構部を介して矢印Ｂ方向に往復移動される。このキャリッジ１２１には、（液体吐出ヘッド及びヘッドタンクを一体にした液体吐出ユニット１２２を搭載している。液体吐出ユニット１２２の液体吐出ヘッドは、例えば、イエロー（Ｙ）、シアン（Ｃ）、マゼンタ（Ｍ）、ブラック（Ｋ）の各色の液体を吐出する。また、液体吐出ヘッド４０４は、複数のノズルからなるノズル列を主走査方向と直交する副走査方向に配置し、吐出方向を下方に向けて装着している。
【００１５】
ここで、「液体吐出ヘッド」とは、ノズルから液体を吐出・噴射する機能部品である。「液体吐出ヘッド」は、使用する圧力発生手段が限定されるものではない。例えば、上記実施形態で説明したような圧電アクチュエータ（積層型圧電素子を使用するものでもよい。）以外にも、発熱抵抗体などの電気熱変換素子を用いるサーマルアクチュエータ、振動板と対向電極からなる静電アクチュエータなどを使用するものでもよい。また、本願の用語における、印刷、画像形成、記録、印字、印写、造形等はいずれも同義語とする。
【００１６】
図３、図４に示す様に、布媒体４００は、カセット２００の上面部分に露出したプラテン部材２５０上にセットされる。布媒体がセットされたカセット２００は、装置本体１００内のステージ１１３に装着され保持される。液体吐出装置１は、カセット２００の「Ａ方向のカセット移動」とキャリッジ１２１の「Ｂ方向のキャリッジ移動及びインク吐出」を繰り返すことで、布地４００に所要の文字、画像等を印刷する。
【００１７】
（液体吐出装置の機能ブロック図）
図５は、液体吐出装置１のハードウェア構成及び機能を説明するためのブロック図である。図５に示されているように、液体吐出装置１は、ＣＰＵ３０１(Central  Processing  Unit)３０１、ＲＯＭ(Read  Only  Memory)３０２、ＲＡＭ(Random  Access  Memory)３０３、ＮＶＲＡＭ(Non-Volatile  Random  Access  Memory)３０４、外部機器接続Ｉ／Ｆ３０８、ネットワークＩ／Ｆ３０９、及びバスライン３１０を備えている。また、液体吐出装置１は、搬送構造体１１３、副走査ドライバ３１２、主走査ドライバ３１３、キャリッジ１２１、及び操作パネル３３０を備えている。更に、キャリッジ１２１は、液体吐出ヘッド１２１ａ、及び液体吐出ヘッドドライバ１２１ｂを備えている。
【００１８】
ＣＰＵ３０１は、液体吐出装置１全体の動作を制御する。また、ＣＰＵ３０１は、専用のプログラムをＲＡＭ３０３上で実行することで、本実施形態に係る印刷動作（詳細は後述）を実行する。
【００１９】
ＲＯＭ３０２は、ＩＰＬ等のＣＰＵ３０１の駆動に用いられるプログラム等を記憶する。特に、ＲＯＭ３０２は、後述する印刷動作を実行するためのプログラムを記憶する。
【００２０】
ＲＡＭ３０３は、ＣＰＵ３０１のワークエリアとして使用される。ＮＶＲＡＭ３０４は、プログラム等の各種データを記憶し、液体吐出装置１の電源が遮断されている間も各種データを保持する。外部機器接続Ｉ／Ｆ３０６は、ＵＳＢ(Universal  Serial  Bus)ケーブル等により、ＰＣ(Personal  Computer)に接続され、ＰＣとの間で、制御信号や印刷されるデータの通信を行う。ネットワークＩ／Ｆ３０９は、インターネット等の通信ネットワーク１００を利用してデータ通信をするためのインターフェースである。バスライン３１０は、ＣＰＵ３０１等の各構成要素を電気的に接続するためのアドレスバスやデータバス等である。
【００２１】
搬送構造体１１３は、例えば、ローラ、及びローラを駆動する駆動モータ１２４によって、底部筐体部１１４内の搬送ガイド部材１１１に沿って副走査方向へ布媒体を搬送する。副走査ドライバ３１２は、搬送構造体１１３の副走査方向への移動を制御する。主走査ドライバ３１１は、キャリッジ１２１の主走査方向への移動を制御する。
【００２２】
キャリッジ１２１の液体吐出ヘッド１２１ａは、インク等の液体を吐出するための複数のノズルを有しており、その吐出面（ノズル面）が、印刷用紙側を向くようにキャリッジ１２１に搭載されている。
【００２３】
液体吐出ヘッド１２１ａは、主走査方向に移動しながら、副走査方向に間欠的に搬送される印刷用紙に液体を吐出することで、印刷用紙の所定位置に液体を吐出して画像を形成する。
【００２４】
液体吐出ヘッドドライバ１２１ｂは、液体吐出ヘッド１２１ａの駆動を制御するためのドライバである。液体吐出ヘッドドライバ１２１ｂは、ＣＰＵ３０１からの制御信号に従って、複数回に亘る印刷処理のそれぞれに対応する印刷データに基づいて、液体吐出ヘッド１２１ａの駆動を制御する。
【００２５】
操作パネル３３２は、現在の設定値や選択画面等を表示させ、操作者からの入力を受け付けるタッチパネルやアラームランプ等により構成されている。
【００２６】
なお、液体吐出ヘッドドライバ１２１ｂは、キャリッジ１２１に搭載されず、キャリッジ１２１外で、バスラインに接続されるように構成してもよい。また、主走査ドライバ３１３、副走査ドライバ３１２、及び液体吐出ヘッドドライバ１２１ｂは、それぞれプログラムに従ったＣＰＵ３０１の命令によって実現する機能であってもよい。
【００２７】
図６は、本実施形態に係る液体吐出装置１に関する機能ブロック図である。同図に示す様に、液体吐出装置１は、印刷データ作成部３０１ａ、印刷制御部３０１ｂとしての機能を有する。なお、図６は、本実施形態に係る液体吐出装置１が有する機能のうち、本発明に関わる機能を便宜上図示したものである。
【００２８】
印刷データ作成部３０１ａは、液体を吐出する吐出部の基準吐出量と印刷対象領域の印刷に必要とされる各位置における液体吐出量とを用いて、基準吐出量又は必要な液体吐出量を用いる第一の印刷処理を実行するための第一の印刷データと、吐出部による液体の吐出をスキップするスキップ処理を含む第二の印刷処理を実行するための第二の印刷データと、を作成する。具体的には、印刷データ作成部３０１ａは、外部機器接続Ｉ／Ｆ３０８、ネットワークＩ／Ｆ３０９等を介して取得される印刷対象領域に関する画像データに基づいて、印刷対象領域の各位置において印刷処理に必要な液体吐出量を算出する。印刷データ作成部３０１ａは、印刷対象領域について複数回に亘る印刷処理を実行する場合に、液体吐出ヘッド１２１ａについて設定された一回の吐出処理における吐出量（基準吐出量）と印刷対象領域の各位置において印刷処理に必要な液体吐出量とを用いて、印刷処理毎に、基準吐出量又は必要な液体吐出量を用いる第一の印刷処理を実行するための第一の印刷データと、吐出部による液体の吐出をスキップするスキップ処理を含む第二の印刷処理を実行するための第二の印刷データと、のいずれかを作成する。
【００２９】
ここで、基準吐出量は、液体吐出ヘッド１２１ａの最大可能吐出量を上限として任意に設定できるパラメータであるが、本実施形態では、説明を具体的にするため、基準吐出量は液体吐出ヘッド１２１ａの最大可能吐出量であるとする。また、印刷データとは、印刷処理における結果物（印刷物）を得るために、液体吐出ヘッド１２１ａの駆動波形データを特定するための駆動元データに対応するものであり、例えば、画像データや文書データ等の電子データを、印刷可能なＰＤＬ（Page  Description  Language）型式に変換した電子データである。
【００３０】
印刷制御部３０１ｂは、第一の印刷データと第二の印刷データとを用いて吐出部を制御し、印刷対象領域について第一の印刷処理と第二の印刷処理とを実行する。すなわち、印刷制御部３０１ｂは、印刷処理毎に作成された第一の印刷データ又は第二の印刷データに基づいて液体吐出ヘッドドライバ１２１ｂを制御し、印刷対象領域について各印刷データに対応した印刷処理を実行する。
【００３１】
なお、印刷データ作成部３０１ａ、印刷制御部３０１ｂは、典型的には、ＣＰＵ３０１が専用のプログラムをＲＡＭ３０３上で実行することで、ソフトウェアとして実現される。しかしながら、当該例に限定されず、印刷データ作成部３０１ａ及び印刷制御部３０１ｂの一部又は全部を、同様の各機能を実行するように設計された専用のハードウェア、例えばＡＳＩＣ（Application  Specific  Integrated  Circuit）、ＤＳＰ（digital  signal  processor）、ＦＰＧＡ（field  programmable  gate  array）等の半導体集積回路や従来の回路モジュール等によって実現するようにしてもよい。
【００３２】
（印刷動作の説明）
図７は、液体吐出装置１が印刷対象領域について２回に亘り印刷処理を実行する場合において、各印刷処理に対応する印刷データを作成する処理を説明するためのフローチャートである。
【００３３】
なお、同図において、（Ｘａ,Ｙｂ）は、印刷対象領域の各位置の座標を意味する。Ｘａは印刷領域の印刷幅Ｗの範囲内の値をとり、Ｙｂは印刷領域の印刷長Ｌの範囲内の値をとる。例えば、印刷幅Ｗ方向にはｎ個のドット列が、印刷長Ｌ方向にはｍ個のドット列がそれぞれ存在する場合には、ａは１≦ａ≦ｎを満たす自然数を取り、ｂは１≦ｂ≦ｍを満たす自然数を取ることになる。
【００３４】
Ｉ（Ｘａ,Ｙｂ）は、位置（Ｘａ,Ｙｂ）において印刷に必要とされる総インク吐出量を、Ｉ１（Ｘａ,Ｙｂ）は、位置（Ｘａ,Ｙｂ）における一回目の印刷処理で使用されるインク吐出量を、Ｉ２（Ｘａ,Ｙｂ）は、位置（Ｘａ,Ｙｂ）における二回目の印刷処理で使用されるインク吐出量を、Ｈは基準吐出量（本実施形態では液体吐出ヘッド１２１ａの最大可能吐出量）を、それぞれ意味する。
【００３５】
Ｐ０（Ｘａ,Ｙｂ）は位置（Ｘａ,Ｙｂ）における中間調処理後に生成された印刷データを、Ｐ１（Ｘａ,Ｙｂ）は位置（Ｘａ,Ｙｂ）における１回目の印刷処理における印刷データを、Ｐ２（Ｘａ,Ｙｂ）は位置（Ｘａ,Ｙｂ）における２回目の印刷処理における印刷データを、それぞれ意味する。Ｐ０（Ｘａ,Ｙｂ）は、Ｐ１（Ｘａ,Ｙｂ）とＰ２（Ｘａ,Ｙｂ）によって得られる最終的な印刷結果と一致することになる。
【００３６】
外部機器接続Ｉ／Ｆ３０８、ネットワークＩ／Ｆ３０９等を介して取得される印刷対象領域に関する画像データに対して中間調処理（γ補正等によって階調補正された画像データを液体吐出装置１から噴射するドットのパターン配置に置き換える多値・少値マトリクスを含む処理）が実行され中間調処理後の画像データが生成されると、印刷データ作成部３０１ａは、中間調処理後の画像データの各位置（Ｘａ,Ｙｂ）における印刷データＰ０（Ｘａ,Ｙｂ）に基づいて、印刷に必要とされる総インク吐出量Ｉ（Ｘａ,Ｙｂ）を算出する（ステップＳ１）。
【００３７】
次に、印刷データ作成部３０１ａは、印刷データの作成の対象となる位置（Ｘａ,Ｙｂ）において、算出された総インク吐出量Ｉ（Ｘａ,Ｙｂ）と、液体吐出ヘッドについて予め取得され基準吐出量Ｈとを比較する（ステップＳ２）。比較の結果、総インク吐出量Ｉ（Ｘａ,Ｙｂ）が基準吐出量Ｈを上回る場合には、印刷データ作成部３０１ａは、吐出量Ｉ１（Ｘａ,Ｙｂ）を基準吐出量Ｈとして一回目の印刷処理における印刷データＰ１（Ｘａ,Ｙｂ）を作成する。また、印刷データ作成部３０１ａは、総インク吐出量Ｉ（Ｘａ,Ｙｂ）から基準吐出量Ｈ（すなわち、一回目の吐出量Ｉ１（Ｘａ,Ｙｂ））を減算した減算値を計算し、吐出量Ｉ２（Ｘａ,Ｙｂ）を減算値Ｉ（Ｘａ,Ｙｂ）−Ｈとして二回目の印刷処理における印刷データＰ２（Ｘａ,Ｙｂ）を作成する。
【００３８】
一方、比較の結果、総インク吐出量Ｉ（Ｘａ,Ｙｂ）が基準吐出量Ｈ以下の場合には、印刷データ作成部３０１ａは、吐出量Ｉ１（Ｘａ,Ｙｂ）吐出量を総インク吐出量Ｉ（Ｘａ,Ｙｂ）として一回目の印刷処理における印刷データＰ１（Ｘａ,Ｙｂ）を作成する。また、印刷データ作成部３０１ａは、吐出量Ｉ２（Ｘａ,Ｙｂ）吐出量＝０として、当該位置をスキップ処理するものとして二回目の印刷処理における印刷データＰ２（Ｘａ,Ｙｂ）を作成する。ここで、「スキップ処理」とは、印刷処理を行わない位置について、吐出処理を行うための主走査（液体吐出ヘッド１２１ａの移動）、副走査（布媒体の搬送）、吐出処理を省略する（スキップする）処理を意味する。
【００３９】
次に、印刷データ作成部３０１ａは、ａが印刷幅以下であるか否かを判定する（ステップＳ４ａ）。判定の結果、Ｘａが印刷幅Ｗ以下である場合には、印刷データ作成部３０１ａは、ａ＝ａ＋１として、印刷データの作成の対象となる位置を印刷対象領域の幅方向の隣の位置に移動させ（ステップＳ５ａ）、ステップＳ１〜ステップＳ４ａまでの処理を繰り返す。
【００４０】
一方、判定の結果、Ｘａが印刷幅以下でない場合には、印刷データ作成部３０１ａは、Ｘｂが印刷長Ｌ以下であるか否かを判定する（ステップＳ４ｂ）。判定の結果、Ｘｂが印刷長Ｌ以下である場合には、印刷データ作成部３０１ａは、ａ＝０、ｂ＝ｂ＋１として、印刷データの作成の対象となる位置を印刷対象領域の印刷長方向に（ステップＳ５ｂ）、さらにａ＝ａ＋１として印刷対象領域の幅方向に移動させ（ステップＳ５ａ）、ステップＳ１〜ステップＳ４ａまでの処理を繰り返す。
【００４１】
以上より、第一の印刷データとして、印刷に必要とされる総インク吐出量Ｉ（Ｘａ,Ｙｂ）又は基準吐出量Ｈを必ず用いる印刷処理を含む印刷データＰ１（Ｘａ,Ｙｂ）が作成され、第二の印刷データとして、スキップ処理を含む印刷データＰ２（Ｘａ,Ｙｂ）が作成されることになる。
【００４２】
作成された一回目の印刷データＰ１（Ｘａ,Ｙｂ）及び二回目の印刷データＰ１（Ｘａ,Ｙｂ）は、印刷データ作成部３０１ａから液体吐出ヘッドドライバ１２１ｂへと送られる。液体吐出ヘッドドライバ１２１ｂは、印刷制御部３０１ｂからの制御信号に従って液体吐出ヘッド１２１ａの駆動を制御し、印刷対象領域について、第一の印刷データを用いる第一の印刷処理と、第二の印刷データを用いる第二の印刷処理とを実行する。
【００４３】
（効果）
以上説明した様に、本発明の実施形態に係る液体吐出装置１によれば、液体を吐出する液体吐出ヘッド１２１ａ（吐出部）の基準吐出量と印刷対象領域の印刷に必要とされる各位置における液体吐出量とを用いて、基準吐出量又は必要な液体吐出量を用いる第一の印刷処理を実行するための第一の印刷データと、吐出部による液体の吐出をスキップするスキップ処理を含む第二の印刷処理を実行するための第二の印刷データと、を作成する。すなわち、液体吐出装置１は、印刷対象領域について複数回に亘り印刷処理を実行する場合において、各印刷処理について同じ印刷データを用いるのではなく、印刷処理毎に印刷データを作成する。そして、第一の印刷データと第二の印刷データとを用いて液体吐出ヘッド１２１ａを制御し、印刷対象領域について第一の印刷処理と第二の印刷処理とを実行する。
【００４４】
これにより、１回目の印刷処理は印刷対象領域全体について実行されるのに対し、２回目の印刷処理は、スキップ処理を含むため印刷対象領域と同等以下の面積について実行される。従って、１回目と２回目を合わせた印刷面積を従来に比して小さくすることができる。その結果、一つの布媒体の印刷処理に必要な総印刷時間を従来に比して短縮させることができ、印刷処理における生産性を向上させることができる。
【００４５】
図８は、布媒体に対して印刷処理を実行することで得られる最終印刷結果を示した図である。図９（ａ）は、本発明の実施形態に係る液体吐出装置１を用いて得られる一回目の印刷処理の印刷結果を示した図である。図９（ｂ）は、本発明の実施形態に係る液体吐出装置１を用いて得られる二回目の印刷処理の印刷結果を示した図である。
【００４６】
液体吐出装置１は、図８に示した最終印刷結果を実現するために、一回目の印刷処理においては図９（ａ）に示す様な印刷長Ｌ−印刷幅Ｗとし、印刷領域の各位置において必要とされるインク量の範囲内でできる限り多くのインクを吐出する。また、液体吐出装置１は、二回目の印刷処理においては図９（ｂ）に示す様な印刷長Ｌ２−印刷幅Ｗとし、１回目の印刷処理で足りない分の液体を吐出する、或いは、１回目の印刷処理で印刷に必要な液体が吐出されている位置については吐出処理をスキップする。
【００４７】
これにより、１回目の印刷処理は印刷対象領域全体について実行されるのに対し、２回目の印刷処理は、印刷対象領域と同等以下の面積について実行される。従って、２回目の印刷長が短くなった部分（すなわち、図９（ｂ）の縦Ｌ１横Ｗの長方形の部分）の印刷動作を行わなくてよい。また、印刷長方向だけでなく、２回目の印刷幅が短くなった部分の印刷動作を行わなくてよい。すなわち、１回目の印刷処理と２回目の印刷処理を合わせた総印刷面積を、従来に比して小さくすることができる。一つの布媒体の印刷処理に必要な総印刷時間を従来に比して短縮させることができ、印刷処理における生産性を向上させることができる。
【００４８】
一方、図１０（ａ）は、従来の液体吐出装置を用いて得られる一回目の印刷処理の結果を示した図である。図１０（ｂ）は、従来の液体吐出装置を用いて得られる二回目の印刷処理の結果を示した図である。
【００４９】
図１０（ａ）、図１０（ｂ）に示す様に、従来の液体吐出装置では、一回目の印刷処理と二回目の印刷処理との双方において、同一の印刷データを用いる。従って、従来の液体吐出装置では、２回目の印刷において印刷を行わない領域での印刷動作のスキップは発生せず、一回目の印刷処理と二回目の印刷処理とのいずれにおいても、印刷領域全体にわたって印刷動作が実行されることになる。従来の液体吐出装置による印刷時間と本発明の実施形態に係る液体吐出装置１による印刷時間とを比較した場合、前者の方が長くなることは明らかである。
【００５０】
（変形例）
図７に示した例では、１回目の印刷処理では最大可能吐出量によってできる限り多くの液体を吐出し、２回目の印刷処理では、１回目の印刷処理で足りない分の液体を吐出する、或いは、１回目の印刷処理で印刷に必要な液体が吐出されている位置については吐出処理をスキップする場合を示した。しかしながら、本発明の技術的思想は当該例に限定されず、第一の印刷データを用いる第一の印刷処理と、第二の印刷データを用いる第二の印刷処理との順序を入れ替えてもよい。すなわち、液体吐出装置１は、２回目の印刷処理では最大可能吐出量によってできる限り多くの液体を吐出することとし、１回目の印刷処理では、２回目の印刷処理で足りない分の液体を吐出する、或いは、１回目の印刷処理で印刷に必要な液体が吐出されている位置については吐出処理をスキップするようにしてもよい。
【００５１】
上記実施形態では、基準吐出量は液体吐出ヘッド１２１ａの最大可能吐出量である場合を例示した。しかしながら、本発明の技術的思想は当該例に限定されず、基準吐出量は、任意の設定値であってもよい。
【００５２】
上記実施形態においては、液体吐出装置１が印刷対象領域について２回に亘り印刷処理を実行する場合を例に説明した。本発明の技術的思想は、当然ながら、液体吐出装置１が印刷対象領域について３回以上の複数回に亘り印刷処理を実行する場合にも適用することができる。例えば、印刷対象領域についてｎ回の複数回に亘り印刷処理を実行する場合には、図７に示したフローチャートにおけるステップＳ３ａの判断処理が、ｎ回繰り返されることになる。その結果、ｎ回の印刷処理のそれぞれについて印刷データが作成される。このｎ個の印刷データのそれぞれは、第一の印刷データ又は第二の印刷データに分類することができる。
【００５３】
上記実施形態で説明した、１回目の印刷処理では最大可能吐出量によってできる限り多くの液体を吐出し、２回目の印刷処理では、１回目の印刷処理で足りない分の液体を吐出するといった構成では、画質、特にグラデーションの表現に対して階調の連続に課題が発生しやすい場合がある。これは、印刷するメディア、環境により、２回目の印刷を行う際に、１回目の印刷の乾燥具合が異なるためである。また、例えば図７のフローにおいて印刷対象領域の各点においてＩ（Ｘａ，Ｙｂ）＝２Ｈである場合等、液体吐出装置１を用いた場合であっても、印刷データによっては同じデータを２回印刷する場合と同じ印刷動作（すなわち、従来の液体吐出装置と同じ印刷動作）となることがある。
【００５４】
従って、液体吐出装置１は、劣化防止の観点から、図７に示したフローチャートに従って印刷処理毎の印刷データを作成した後、生産性が向上するかどうかを判断し、生産性が向上する場合（例えば、全ての印刷処理について同じ印刷データを用いる場合と比較して、短縮される印刷時間が閾値以上である場合など）は、本実施形態に係る印刷処理を実行するようにしてもよい。
【００５５】
加えて、Ｔシャツなどの布媒体４００に印字する場合、印字直後の品質だけでなく、洗濯後における画質劣化についても考慮する必要がある。
【００５６】
例えば、ある単位面積のインクの付着量の場合、小滴インクを複数回吐出するより、大滴インクを少数回で吐出した方が、洗濯した場合に色が落ちにくいことが知られている。これは、大滴の方が、運動エネルギーが大きく、布地の奥まで浸透するためである。
【００５７】
ところが、上記実施形態で説明した、１回目の印刷処理では最大可能吐出量によってできる限り多くの液体を吐出し、２回目の印刷処理では、１回目の印刷処理で足りない分の液体を吐出するといった構成では、グラデーションを表現する際に、「大滴のみ」のドットで印字する箇所と「中滴＋小滴」のドットで印字する箇所とで境界ができてしまう、という問題がある。これは、印字直後のインク付着量は狙い通りのために差は目立たないが、上述のように洗濯後の色落ち具合が異なるため、グラデーションの階調飛びが目立つこととなるからである。なお、グラデーション等でなく、単色の場合は、一律に色落ちするため階調飛びは発生しない。
【００５８】
そこで、液体吐出装置１の印刷データ作成部３０１ａは、画像劣化防止の観点から、図７に示したフローチャートに従って印刷処理毎の印刷データを作成する際に、グラデーションの有無を判断する。
【００５９】
図１１は、グラデーションの有無の判断例を示す図である。図１１に示すように、所定のＯＳでは呼び出し関数により、描画オブジェクトの区分け（文字、グラフィック、ビットマップ）を判断可能である。そこで、液体吐出装置１の印刷データ作成部３０１ａは、描画オブジェクトが文字およびグラフィックについては「グラデーションなし」と判断し、描画オブジェクトがビットマップについては「グラデーションあり」と判断する。
【００６０】
ここで、図１２は印刷データの作成処理の流れの変形例を示す図である。図１１に示すように、液体吐出装置１の印刷データ作成部３０１ａは、描画要求（文字、グラフィック、ビットマップ）を受け取ると、画像データに対して中間調処理を実行し、中間調処理後の画像データにおけるグラデーションの有無を判断する。
【００６１】
液体吐出装置１の印刷データ作成部３０１ａは、画像データに「グラデーションなし」の部分（文字、グラフィック）があると判断すると、当該「グラデーションなし」の部分の画像データについて、基準吐出量又は必要な液体吐出量を用いる一回目の印刷処理を実行するための一回目印字データと、吐出部による液体の吐出をスキップするスキップ処理を含む二回目の印刷処理を実行するための二回目印字データと、を作成する。
【００６２】
一方、液体吐出装置１の印刷データ作成部３０１ａは、画像データに「グラデーションあり」の部分（ビットマップ）があると判断すると、当該「グラデーションあり」の部分の画像データについて、従来の液体吐出装置のように、一回目の印刷処理と二回目の印刷処理との双方において用いる、同一の印字データを作成する。
【００６３】
そして、液体吐出装置１の印刷データ作成部３０１ａは、「グラデーションあり」の一回目印字データと「グラデーションなし」の印字データをＯＲ合成し、一回目印字データとする。
【００６４】
また、液体吐出装置１の印刷データ作成部３０１ａは、「グラデーションあり」の二回目印字データと「グラデーションなし」の印字データをＯＲ合成し、二回目印字データとする。
【００６５】
そして、液体吐出装置１の印刷制御部３０１ｂは、「グラデーションなし」の部分（文字、グラフィック）については、一回目の印刷処理では最大可能吐出量によってできる限り多くの液体を吐出し、二回目の印刷処理では、一回目の印刷処理で足りない分の液体を吐出する。
【００６６】
一方、液体吐出装置１の印刷制御部３０１ｂは、「グラデーションあり」の部分（ビットマップ）については、２回とも同じ印字データで印字する。
【００６７】
すなわち、二回目の印字において、例えば「グラデーションなし」のグラフィックオブジェクト（Rectangle：グラフィック）の描画がない分、生産性が向上することになる。
【００６８】
従って、上記の場合、液体吐出装置１は、印字する描画オブジェクト毎に、「二回とも同じ印字データで印字する」か、「一回目の印字で出来るだけインクを吐出し、二回目の印字で不足分のインクを吐出」かの処理を変えることにより、画質劣化を発生させることなく、生産性向上させることができる。
【００６９】
本実施形態において、「液体吐出装置」は、液体吐出ヘッド又は液体吐出ユニットを備え、液体吐出ヘッドを駆動させて、液体を吐出させる装置である。液体吐出装置には、液体が付着可能なものに対して液体を吐出することが可能な装置だけでなく、液体を気中や液中に向けて吐出する装置も含まれる。
【００７０】
この「液体吐出装置」は、液体が付着可能なものの給送、搬送、排紙に係わる手段、その他、前処理装置、後処理装置なども含むことができる。
【００７１】
例えば、「液体吐出装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００７２】
また、「液体吐出装置」は、吐出された液体によって文字、図形等の有意な画像が可視化されるものに限定されるものではない。例えば、それ自体意味を持たないパターン等を形成するもの、三次元像を造形するものも含まれる。
【００７３】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００７４】
上記「液体が付着可能なもの」の材質は、紙、糸、繊維、布帛、皮革、金属、プラスチック、ガラス、木材、セラミックスなど液体が一時的でも付着可能であればよい。
【００７５】
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００７６】
また、「液体吐出装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００７７】
また、「液体吐出装置」としては他にも、用紙の表面を改質するなどの目的で用紙の表面に処理液を塗布するために処理液を用紙に吐出する処理液塗布装置、原材料を溶液中に分散した組成液をノズルを介して噴射させて原材料の微粒子を造粒する噴射造粒装置などがある。
【００７８】
また、上述した液体吐出装置１が有する機能を実現するためのプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等の不揮発性の記録媒体に予め組み込んで提供するように構成してもよい。
【符号の説明】
【００７９】
１  液体吐出装置
１００  装置本体
１１１  搬送ガイド部材
１１２  搬送構造体
１１３  ステージ
１１４  底部筐体部
１１５  搬送ガイド部材
１１６  スライダ部
１２１  キャリッジ
１２２  液体吐出ユニット（ヘッド）
１２３  キャリッジレール
１２４  駆動モータ
２００  カセット
２５０  プラテン部材
３０１  ＣＰＵ
３０１ａ  印刷データ作成部
３０１ｂ  印刷制御部
３０２  ＲＯＭ
３０３  ＲＡＭ
３０４  ＮＶＲＡＭ
３０８  外部機器接続Ｉ／Ｆ
３０９  ネットワークＩ／Ｆ
３１０  バス
３１２  副走査ドライバ
３１３  主走査ドライバ
３３０  走査パネル
【先行技術文献】
【特許文献】
【００８０】
【特許文献１】特開平０９−０５７９５４号公報
【図１】
2020147037.tif 000003
【図２】
2020147037.tif 000004
【図３】
2020147037.tif 000005
【図４】
2020147037.tif 000006
【図５】
2020147037.tif 000007
【図６】
2020147037.tif 000008
【図７】
2020147037.tif 000009
【図８】
2020147037.tif 000010
【図９】
2020147037.tif 000011
【図１０】
2020147037.tif 000012
【図１１】
2020147037.tif 000013
【図１２】
2020147037.tif 000014